(57)【要約】      （修正有）【課題】タッチパネルを備えた情報処理装置で、必要な情報を過不足なく表示し、迅速に入力を行う。【解決手段】情報処理装置は、表示部、入力部、入力制御部及び表示制御部を有する。表示部は、複数の選択肢の中から一つを選択させるために、選択肢がタイトル部分Ｇ１１および項目部分Ｇ１２から構成されたＧＵＩ部品Ｇ１表示する。表示制御部は、ＧＵＩ部品Ｇ１にタップ操作したとき、項目部分Ｇ１２の表示を順次切り替えるとともに、項目部分Ｇ１２が選択状態となるようにＧＵＩ部品Ｇ１の表示を制御し、ＧＵＩ部品Ｇ１における同一領域をタップ操作することにより項目部分Ｇ１２の表示を順次切り替える。【選択図】図３
2017084384.tif 000002
【特許請求の範囲】
【請求項１】
複数の選択肢の中から一つを選択させるためのＧＵＩ部品であって、前記選択肢がタイトル部分および項目部分から構成されたＧＵＩ部品、を表示する表示部と、
前記ＧＵＩ部品に対する操作を受け付ける入力部と、
前記入力部が受け付けた前記操作の種類を判別する入力制御部と、
前記入力制御部により前記操作の種類がタップ操作であると判別されたとき、前記選択肢における前記項目部分の表示を順次切り替えるとともに、前記項目部分が選択状態となるように前記表示部への前記ＧＵＩ部品の表示を制御する表示制御部と、
を備え、
前記ＧＵＩ部品における同一領域をタップ操作することにより、前記選択肢における前記項目部分の表示が順次切り替えられる、情報処理装置。
【請求項２】
前記表示制御部は、前記入力部が受け付けた前記ＧＵＩ部品に対するタップ操作に基づいて選択された項目に応じて、前記項目部分の表示状態を変化させる、請求項１に記載の情報処理装置。
【請求項３】
前記ＧＵＩ部品は、数値を入力させるための数値入力用ＧＵＩ部品を含み、
前記数値入力用ＧＵＩ部品は、入力する前記数値に関する数値タイトル部分および前記数値の入力とその入力値を示す数値入力部分から構成される、請求項１に記載の情報処理装置。
【請求項４】
前記表示制御部は、前記入力部が受け付けた前記数値入力用ＧＵＩ部品に対するタップ操作に基づいて、前記数値入力部分の入力値が一定値ずつインクリメントするように前記表示部への前記数値入力用ＧＵＩ部品の表示を制御する、請求項３に記載の情報処理装置。
【請求項５】
前記表示制御部は、前記入力部が受け付けた前記数値入力用ＧＵＩ部品に対するフリック操作またはスワイプ操作に基づいて、前記数値入力部分の入力値が一定値ずつデクリメントするように前記表示部への前記数値入力用ＧＵＩ部品の表示を制御する、請求項３に記載の情報処理装置。
【請求項６】
１つの前記数値入力用ＧＵＩ部品につきインクリメントおよびデクリメントの変化量は同じである、請求項４又は５に記載の情報処理装置。
【請求項７】
前記数値入力部分の入力値に境界値が設定され、当該境界値に対する入力値の割合に応じて、前記数値入力部分の表示状態を変化させる、請求項４〜６の何れか１項に記載の情報処理装置。
【請求項８】
前記数値入力部分の入力値が前記境界値に近づいた場合、前記数値タイトル部分の表示状態を変化させる、請求項４〜７の何れか１項に記載の情報処理装置。
【請求項９】
前記数値入力部分の入力値が前記境界値と同じになった場合、前記数値タイトル部分の表示状態を変化させる、請求項４〜８の何れか１項に記載の情報処理装置。
【請求項１０】
前記数値入力部分の入力値が前記境界値を超えた場合、前記数値タイトル部分の表示状態を変化させる、請求項４〜９の何れか１項に記載の情報処理装置。
【請求項１１】
前記数値入力部分の入力値が前記境界値近傍から外れた場合、前記数値タイトル部分の表示状態を変化させる、請求項４〜１０の何れか１項に記載の情報処理装置。
【発明の詳細な説明】
【技術分野】
【０００１】
タブレット端末などの比較的表示画面が小さく、タッチパネルを使用し入力を行う情報処理装置に関する。
【背景技術】
【０００２】
タブレット端末などの比較的表示画面が小さく、タッチパネルを使用し入力を行う情報処理装置が一般に用いられるようになってきている。このような情報処理装置において、多くの情報を１画面に表示させるためには、画面をスクロールさせる方法が一般的である。
【０００３】
複数の選択肢からいずれか１つを選択させるＧＵＩ部品として、ラジオボタンが一般的に用いられる。数値入力においては、ソフトウェアキーボードを用いるのが一般的である。
【０００４】
タブレット端末などの比較的表示画面が小さな情報処理装置では、表示部の画素数が減り、表示可能な情報量が少なくなる（例えば、特許文献１参照。）。あるいは、画素数が減らなくとも、１つ１つの画素が小さくなり、文字、あるいは、ボタンといった表示部品が小さく表示され、読みにくく、操作し辛い。視認性や操作性を維持しつつ、画面部品を配置するには、画面をスクロールさせるか、複数の画面に配置するということが必要となる。
【先行技術文献】
【特許文献】
【０００５】
【特許文献１】特開２０１２−３５４５号公報
【発明の概要】
【発明が解決しようとする課題】
【０００６】
しかし、関連する項目はスクロールせずに１画面で閲覧できることが望ましい。また、項目を一画面で閲覧する場合は、それぞれの項目の状態が一目で把握できることが望ましい。
【０００７】
例えば、医療分野の小型端末では、入力する内容は専門的である一方、入力方法としては自由な文字入力ではなく、選択肢や、数値入力で行う場合が多い。介護分野についても同様の傾向がある。
【０００８】
従来の複数の選択肢から１つを選択させるものとしては、ラジオボタンや、コンボボックスがある。ラジオボタンは選択肢を一覧できるが、タブレットなどの小さい画面では、選択肢が多くなると、部品が小さくなり、読みにくい、操作しにくいなどの不都合がある。
【０００９】
専門的な内容が多い、医療分野の小型端末では、その分野に慣れていない医療従事者にとって過不足の無い情報を示すようなＧＵＩ部品が必要となる。従来のラジオボタンやコンボボックスでは、このようなニーズに応えられない。
【００１０】
また、数値入力を行う場合に、数値を素早く入力するとともに、入力した数値の状態を一覧できることが望まれるが、従来のＧＵＩ部品ではこのようなニーズに応えられていない。
【００１１】
この発明は上記課題に鑑みてなされたものであり、タッチパネルを備えた情報処理装置で、必要な情報を過不足なく表示し、迅速に入力を行うことを目的とする。過不足のない情報を示すことが可能で、入力した数値の状態の一覧性も保たれ、かつ、操作性の良い、ＧＵＩ部品を表示する情報処理装置を提供することを目的とする。
【課題を解決するための手段】
【００１２】
本発明の情報処理装置では、表示部、入力部、入力制御部、および表示制御部を有する。
【００１３】
表示部は、複数の選択肢の中から一つを選択させるためのＧＵＩ部品であって、選択肢のタイトル部分、および選択肢の項目部分から構成されるＧＵＩ部品を表示する。入力部はＧＵＩ部品のタップ操作、フリック操作、スワイプ操作などを受け付ける。表示制御部は、入力部が受け付けたＧＵＩ部品のタップ操作に基づいて、選択肢の表示が順次切り替わるとともに、表示中の項目が選択状態となるように表示部へのＧＵＩ部品の表示を制御する。
【００１４】
表示部は、複数の選択肢の中から一つを選択させるためのＧＵＩ部品であって、選択肢のタイトル部分および選択肢の項目部分から構成されたＧＵＩ部品を表示する。入力部はＧＵＩ部品に対する操作を受け付ける。入力制御部は、入力部が受け付けた操作の種類を判別する。表示制御部は、入力制御部によりＧＵＩ部品に対する操作の種類がタップ操作であると判別されたとき、項目部分における選択肢の表示を順次切り替えるとともに、項目部分が選択状態となるように表示部へのＧＵＩ部品の表示を制御する。また、ＧＵＩ部品における同一領域をタップ操作することにより、選択肢における項目部分の表示が順次切り替えられる。
【００１５】
この構成によると、ＧＵＩ部品のタップ操作によって、複数の選択肢の中から迅速に所望の選択肢を選択することが可能である。また、複数の選択肢の一覧表示をしなくて良いので、ＧＵＩ部品を、操作しやすい大きめのサイズに設定することが可能である。
【００１６】
また、選択肢における項目部分の表示は、ＧＵＩ部品における同一領域をタップ操作すれば、順次切り替えられる。このため、ユーザは、タップ操作すれば全ての項目を視認することができる。よって、項目数だけタップ操作すればよいため、複数の項目を持つ選択肢にも対応できる。さらに、この構成では、同一領域（即ち、項目部分）をタップ操作するため、ユーザは、どの領域が切り替わっているのかを把握しながら、各項目を視認できる。つまり、表示画面におけるユーザの視点を変えることなく、項目が順次切り替わるため、ユーザの利便性の向上に寄与する。
【００１７】
また、ＧＵＩ部品は、数値を入力させるための数値入力用ＧＵＩ部品を含む。数値入力用ＧＵＩ部品は、入力する数値に関する数値タイトル部分および数値の入力とその入力値を示す数値入力部分から構成される。
【００１８】
この構成であれば、ＧＵＩ部品（数値入力用ＧＵＩ部品）に数値を入力しておき、タップ操作によって、画面に最適な数値を表示させることができる。これにより、ユーザは、各数値タイトルに応じた数値を、数値入力部分をタップ操作することによって表示できる。
【００１９】
また、表示制御部は、入力部が受け付けた数値入力用ＧＵＩ部品に対するタップ操作に基づいて、数値入力部分の入力値が一定値ずつインクリメントするように表示部への数値入力用ＧＵＩ部品の表示を制御する。
【００２０】
この構成によると、数値入力用ＧＵＩ部品のタップ操作によって、迅速に数値を入力することが可能である。また、複数の選択肢の一覧表示をしなくて良いので、ＧＵＩ部品を、操作しやすい大きめのサイズに設定することが可能である。さらに、同一領域（数値入力部分）をタップ操作して数値を入力するため、ユーザは入力された数値の場所（領域）と数値とを同時に視認することができる。よって、ユーザの利便性の向上に寄与する。
【００２１】
さらに、表示制御部は、入力部が受け付けた数値入力用ＧＵＩ部品に対するフリック操作またはスワイプ操作に基づいて、数値入力部分の入力値が一定値ずつデクリメントするように表示部への数値入力用ＧＵＩ部品の表示を制御する。例えば、ＧＵＩ部品上で左方向にフリック操作すると、数値入力部分の入力値が一定値ずつデクリメントすることで、誤入力の訂正などを行うことが出来る。
【００２２】
この際、１つの数値入力用ＧＵＩ部品につきインクリメントおよびデクリメントの変化量は同じとし、部品ごとに異なる変化量を設定できる。
【００２３】
また、数値入力部分の入力値に対して境界値を設定しておき、境界値に対する入力値の割合に応じて数値入力部分の表示状態を変化させる。
【００２４】
さらに、数値入力部分の入力値が境界値に近づいた場合に、数値タイトル部分の表示状態を変化させる。
【００２５】
さらに、数値入力部分の入力値が境界値と同じになった場合に、数値タイトル部分の表示状態を変化させる。
【００２６】
さらに、数値入力部分の入力値が境界値を超えた場合に、数値タイトル部分の表示状態を変化させる。
【００２７】
あるいは、数値入力部分の入力値が境界値近傍を外れた場合に、数値タイトル部分の表示状態を変化させる。
【発明の効果】
【００２８】
この発明によると、入力部および表示部を兼ねるタッチパネルを備えた情報処理装置で、必要な情報を過不足なく表示し、迅速に入力を行うことが可能である。
【図面の簡単な説明】
【００２９】
【図１】この発明の実施形態に係る情報処理装置の概略構成を示すブロック図である。
【図２】認知症診断をサポートするシステムでの問診画面の一例である。
【図３】この発明の情報処理装置による、ＧＵＩ部品を用いて選択肢を選択する手法を示す図である。
【図４】この発明の情報処理装置による、ＧＵＩ部品を用いた選択肢の選択手順を説明するフローチャートである。
【図５】看護、介護の現場において生活記録を行うシステムでの、体温を記録する画面で、ＧＵＩ部品を用いて数値を入力する手法を示す図である。
【図６】この発明の情報処理装置による、ＧＵＩ部品を用いた数値の入力手順の一例を説明するフローチャートである。
【図７】図６において定義済みである、警告パターンの設定手法を説明するフローチャートである。
【図８】看護、介護の現場において生活記録を行うシステムでの、摂取水分量を記録する画面で、ＧＵＩ部品を用いて数値を入力する手法を示す図である。
【図９】この発明の情報処理装置による、ＧＵＩ部品を用いた数値の入力手順の他の例を説明するフローチャートである。
【発明を実施するための形態】
【００３０】
以下に、この発明を実施するための形態について、図面に基づいて説明する。
【００３１】
図１は、この発明の実施形態に係る情報処理装置の概略構成を示すブロック図である。図１に示すように、この情報処理装置１は、表示部１０、入力部２０、入力制御部３０、表示制御部４０、記憶部５０、および制御部６０を備える。情報処理装置１の一例としてタブレット端末を挙げることが出来る。タブレット端末は表示部１０、および入力部２０が兼用されるタッチパネルＴＰを備える。
【００３２】
表示部１０は、液晶ディスプレイ、有機ＥＬディスプレイなどの表示デバイスであり、ＧＵＩ部品を表示する。入力部２０は、キーボード、マウス、タッチパッドなどの入力デバイスであり、ＧＵＩ部品に対するタップ操作、フリック操作、スワイプ操作などを受け付ける。本実施形態では、情報処理装置１がタッチパネルＴＰを有するタブレット端末である場合、タッチパネルＴＰに表示部１０および入力部２０は兼用である。
【００３３】
入力制御部３０は、入力信号の操作対象であるＧＵＩ部品を特定し、入力部２０が受け付けた操作の種類が、ＧＵＩ部品のタップ操作なのか、フリック操作なのか、スワイプ操作なのかを判別する。
【００３４】
記憶部５０は、フラッシュＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）、ＨＤ（Ｈａｒｄ  Ｄｉｓｋ）などの記憶デバイスである。記憶部５０は、制御プログラム、一時記憶データなどを記憶する。制御プログラムには、ＧＵＩ部品に関する情報が記憶されている。制御プログラムは、制御部６０により読み出され、情報処理装置１に各種処理を実行させるコンピュータプログラムである。一時記憶データは、入力部２０を介して入力されたデータや、ネットワークを介して受信したデータなどの、情報処理装置１に一時的に記憶されるデータである。
【００３５】
表示制御部４０は、表示部１０へのＧＵＩ部品の表示を制御する。表示制御部４０の具体的動作については後に詳述する。
【００３６】
制御部６０は、情報処理端末の各機能部１０〜５０を制御するとともに、記憶部５０に記憶されている制御プログラムを実行するＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）などの制御デバイスである。
【００３７】
次に、本実施形態に係る情報処理装置１に備えられるＧＵＩ部品に関して、具体例を挙げて説明する。
【００３８】
＜実施例１＞
認知症診断の問診では、問診の回答そのものを得ると同時に、患者、および、付添人それぞれの情動や行動パターンが認知症ケアに重要な情報となることから、これらを同時に観察する必要がある。
【００３９】
したがって、これらの観察項目を記録する際に、記録する項目や内容は、スクロールやページ送りをすることなく一度に閲覧出来ることが望ましい。
【００４０】
図２は、認知症診断をサポートするシステムでの問診の画面である。操作性、視認性を維持したまま、１つの部品の表示面積をコンパクトにして、１画面に観察が必要な項目が表示できるよう工夫している。
【００４１】
図３は、ＧＵＩ部品を用いた選択肢の選択手法を示す図である。ＧＵＩ部品（実施例１では、「選択用ＧＵＩ部品」と称する。）Ｇ１は、選択肢のタイトル部分Ｇ１１と、選択肢の項目部分Ｇ１２とからなる。図３に示される画面の例では、「拒絶」、「怒り」などの情動がタイトル部分Ｇ１１である。「なし」、「弱」、「強」の３段階での評価を入力可能となっている部分が項目部分Ｇ１２である。ユーザによって、項目部分Ｇ１２がタップ操作されることで、図３（Ａ）〜図３（Ｃ）に示すように、選択肢は順番に切り替えられ、画面に表示される。このように、ユーザは、同一領域である項目部分Ｇ１２をタップ操作し続ければ、ユーザが表示したい項目を見つけることができる。
【００４２】
ユーザがタップ操作を繰り返し、選択肢（項目部分Ｇ１２）の項目の最後（図３（Ｃ）参照。）まで来た場合には、最初の選択肢（図３（Ａ）参照。）に戻り、項目部分Ｇ１２の表示が、循環して切り替えられる。また、表示中の選択肢により、項目部分Ｇ１２の文字色、および、背景色を同時に切り替えることで、選択状態を分かりやすく表示することが出来る。
【００４３】
選択用ＧＵＩ部品Ｇ１を用いた選択手順を図４のフローチャートを用いて詳細に説明する。入力制御部３０が入力部２０から通知された入力が、選択用ＧＵＩ部品Ｇ１のタップ操作であるかどうかを判定する。選択用ＧＵＩ部品Ｇ１のタップ操作であった場合（ステップＳ１でＹＥＳ）は、制御部６０に選択用ＧＵＩ部品Ｇ１のタップ操作が発生したことが通知され、制御部６０は、表示制御部４０に対して項目部分Ｇ１２の切り替えを指示する（ステップＳ２）。
【００４４】
表示制御部４０は記憶部５０に格納されている選択部品情報から次の選択肢項目の情報を取得する（ステップＳ３）。取得した選択肢項目情報に従い、表示制御部４０は選択用ＧＵＩ部品Ｇ１のタイトル部分の文字色、および、背景色を設定し、さらに項目部分の文字列、文字色、背景色を設定する（ステップＳ４〜Ｓ８）。
【００４５】
すべての設定を行った後、表示制御部４０は表示部１０に表示指示を行う（ステップＳ９）。表示部１０は、選択用ＧＵＩ部品Ｇ１の表示状態を更新する（ステップＳ１０）。
【００４６】
選択用ＧＵＩ部品Ｇ１は選択肢項目のタイトル文字色と背景色の設定がすべて標準であるので、タイトル部分の見た目は変化しない。
【００４７】
＜実施例２＞
図５は、看護、介護の現場において生活記録を行うシステムで、ＧＵＩ部品を用いて体温を記録する手法を示す図である。実施例２では、平熱を基準値に設定しているので、平熱を超えると入力部背景色が変わり、正常な状態か注意を要する状態かが一目で判断出来る。記録対象者の過去の記録から平均体温を自動的に算出し、基準値として設定出来る。
【００４８】
ＧＵＩ部品（実施例２では、「数値入力用ＧＵＩ部品」と称する）Ｇ２は、数値タイトル部分Ｇ２１と数値入力部分Ｇ２２とからなる。図５（Ａ）〜図５（Ｃ）に示されるように、ユーザが数値入力部分Ｇ２２をタップ操作することで、入力値が一定値（０．１℃）ずつ加算（インクリメント）されていく。また、実施例２では、数値入力部分Ｇ２２のスワイプ操作が許可されているので、タップ操作での加算のほかに、スワイプ操作での値の加算および減算（デクリメント）が可能である。スワイプ操作での値の増減は、スワイプ幅（本実施例では、ユーザが画面に指を置いて左右どちらかに指を動かしたとき、元の指の位置からユーザが指を動かした位置までの距離を、便宜的に「スワイプ幅」と称する。）に応じて増減値が決定され、この例では、図５（Ｄ）に示すように、右スワイプ操作によってタップ操作の場合の１０倍である１℃の加算を行っている。また、左スワイプ操作では、入力値の減算が行えるようになっている。
【００４９】
数値入力用ＧＵＩ部品Ｇ２を用いた数値入力手順を図６のフローチャートを用いて詳細に説明する。
【００５０】
入力制御部３０は、入力部２０が受け付けた操作が数値入力用ＧＵＩ部品Ｇ２のタップ操作であるかどうかを判定する（ステップＳ２１）。
【００５１】
数値入力用ＧＵＩ部品Ｇ２のタップ操作が検出された場合（ステップＳ２１のＹＥＳ）、制御部６０に通知され、制御部６０は記憶部５０に格納されている数値入力部品情報（数値入力用ＧＵＩ部品Ｇ２に関する情報）から、増減単位を取得し、現在の値に加算する（ステップＳ２２）。
【００５２】
一方、入力部２０から通知された入力がタップ操作ではなかった場合（ステップＳ２１でＮＯ）、入力制御部３０はそれが数値入力用ＧＵＩ部品Ｇ２のスワイプ操作であるかどうかを判定する（ステップＳ２３）。スワイプ操作ではなかった場合（ステップＳ２３でＮＯ）は処理を終了する。
【００５３】
スワイプ操作であった場合（ステップＳ２３でＹＥＳ）、制御部６０に通知され、制御部６０はスワイプ量から差分量を計算する。差分量は、増減の単位で算出される。例えば、数値入力用ＧＵＩ部品Ｇ２の幅一杯にスワイプ操作すると大きい単位で増減され、小さい幅でスワイプ操作すると小さい単位で増減されるなどにより、直感的な差分量の設定が可能である。具体的には、図５に示されるように、数値入力用ＧＵＩ部品Ｇ２に対し、右スワイプ操作すると、数値入力部分Ｇ２２の数値は、３６．１から３７．１へと加算（インクリメント）される（図５（Ｄ）から（Ｃ）への変化を参照。）。一方、左スワイプ操作すると、減算（デクリメント）される。
【００５４】
ここで、数値入力用ＧＵＩ部品Ｇ２の数値入力部分Ｇ２２に入力される数値に境界値（本実施例では、「上限警告値」および「下限警告値」と称する。）を設定する。この上限警告値および下限警告値と、スワイプ操作を行ったときのスワイプ幅とを用いて、数値入力部分Ｇ２２に入力される数値を決定する。
【００５５】
図５の例では、差分量算出にあたり、数値入力用ＧＵＩ部品Ｇ２の幅のスワイプ量（ユーザがスワイプ操作した幅）に対し上限警告割合（上限値から算出される割合）から下限警告割合（下限値から算出される割合）を引いたものの半分の量となるようにしている。すなわち、３６．１の９７％は３４．９、１０３％は３７．１であり、差分量の半分は１．１になる。ほぼ数値入力用ＧＵＩ部品Ｇ２の幅一杯にスワイプ操作した結果、１℃の加算が行われたことになる。ここで、スワイプ操作による数値入力部分Ｇ２２の数値の増減（インクリメントおよびデクリメント）の変化量は、同じとなるように設定される。割合ではなく、下限値、上限値を記憶しておいて、スワイプ幅と対応させても良い。
【００５６】
なお、差分量算出の際のスワイプ量に対する差分量の値は、その値自体を数値入力部品情報に持たせるようにしてもよい。部品の大きさと増減単位、および想定される入力値の最大値と最小値から操作しやすい比率にするとよい。
【００５７】
制御部６０はスワイプ操作が右スワイプだった場合（ステップＳ２５でＹＥＳ）は、算出された差分量を入力値に加算（インクリメント）する（ステップＳ２６）。
【００５８】
制御部６０はスワイプ操作が左スワイプだった場合（ステップＳ２６でＮＯ）は、算出された差分量を入力値から減算（デクリメント）する（ステップＳ２７）。
【００５９】
制御部６０は更新された入力値を表示制御部４０に通知し、入力値更新を指示する（ステップＳ２８）。表示制御部４０は、記憶部５０から基準値を取得し、新たな入力値の基準値に対する割合を算出し（ステップＳ２９）、更新された入力値割合で、割合バーを表示するように設定する（ステップＳ３０）。
【００６０】
この例の場合、割合バー表示色は透過なので、実際には表示されない。さらに表示制御部４０は、警告表示パターンの設定を行う（ステップＳ３１）。すべての設定値を更新した後、表示制御部４０は表示部１０に対して、表示指示を行う（ステップＳ３２）。表示部１０が、数値入力用ＧＵＩ部品Ｇ２の表示状態を更新する（ステップＳ３３）。
【００６１】
次に、上記ステップＳ３１の定義済み処理である警告パターンの設定手法を、図７を用いて説明する。表示制御部４０は、記憶部５０に格納されている数値入力部品情報から、下限警告値割合を取得し、現在の入力値割合と比較する（ステップＳ８０１）。
【００６２】
入力値割合が下限警告値割合未満（ステップＳ８０１でＮＯ）の場合、表示制御部４０は記憶部５０から標準状態を取得し（ステップＳ８０２）、標準文字色（タイトル文字色、入力値文字色）の設定（ステップＳ８０３）、標準背景色（タイトル背景色、入力値背景色）の設定（ステップＳ８０４）、標準割合バー表示色の設定（ステップＳ８０５）の各処理を行う。
【００６３】
入力値が下限警告割合以上（ステップＳ８０１でＹＥＳ）の場合、入力値と基準値とを比較する（ステップＳ８０６）。入力値が基準値未満（ステップＳ８０６でＮＯ）の場合、表示制御部４０は記憶部５０から第１警告状態を取得し（ステップＳ８０７）、第１警告文字色（タイトル文字色、入力値文字色）の設定（ステップＳ８０８）、第１警告背景色（タイトル背景色、入力値背景色）の設定（ステップＳ８０９）、第１警告割合バー表示色の設定（ステップＳ８１０）の各処理を行う。
【００６４】
入力値が基準値以上（ステップＳ８０６でＹＥＳ）の場合、入力値と基準値を比較し(ステップＳ８１１)、入力値と基準値が等しい（ステップＳ８１１でＮＯ）場合、表示制御部４０は記憶部５０から第２警告状態を取得し（ステップＳ８１２）、第２警告文字色（タイトル文字色、入力値文字色）の設定（ステップＳ８１３）、第２警告背景色（タイトル背景色、入力値背景色）の設定（ステップＳ８１４）、第２警告割合バー表示色の設定（ステップＳ８１５）の各処理を行う。
【００６５】
入力値が基準値よりも大きい（ステップＳ８１１でＹＥＳ）場合、表示制御部４０は、記憶部５０から上限警告割合を取得し、入力値割合と上限警告割合を比較する（ステップＳ８１６）。
【００６６】
入力値割合が上限警告割合未満（ステップＳ８１６でＮＯ）の場合、表示制御部４０は記憶部５０から第３警告状態を取得し（ステップＳ８１７）、第３警告文字色（タイトル文字色、入力値文字色）の設定（ステップＳ８１８）、第３警告背景色（タイトル背景色、入力値背景色）の設定（ステップＳ８１９）、第３警告割合バー表示色の設定（ステップＳ８２０）の各処理を行う。
【００６７】
入力値割合が上限警告割合以上（ステップＳ８１６でＹＥＳ）の場合、表示制御部４０は、記憶部５０から第４警告状態を取得し（ステップＳ８２１）、第４警告文字色（タイトル文字色、入力値文字色）の設定（ステップＳ８２２）、第４警告背景色（タイトル背景色、入力値背景色）の設定（ステップＳ８２３）、第４警告割合バー表示色の設定（ステップＳ８２４）の各処理を行う。
【００６８】
＜実施例３＞
図８は、看護、介護の現場において生活記録を行うシステムでの、ＧＵＩ部品を用いて摂取水分量を記録する手法を示す図である。高齢者の場合、脱水症状に陥らないために十分な水分を摂取する必要があるが、同時に余分な水分を排出する力が弱まっているので、特に疾患のある場合は、水分を与えすぎないという点にも注意する必要がある。
【００６９】
数値入力用ＧＵＩ部品Ｇ３は、数値タイトル部分Ｇ３１と数値入力部分Ｇ３２とからなり、数値入力用ＧＵＩ部品Ｇ３をタップすることで、入力値を一定値ずつ加算（インクリメント）していき、数値入力用ＧＵＩ部品Ｇ３上でフリック操作を行うことで、一定値ずつ減算（デクリメント）していく。
【００７０】
入力された値が、一日に必要な水分量の何パーセントに当たるかを数値入力部分Ｇ３２に割合バーＧ３３を表示することで視覚的に表現することが出来（図８（Ａ）〜図８（Ｆ）参照。）、入力値が一日に必要な水分量の基準値に近づくと数値タイトル部分Ｇ３１が黄色になり（図８（Ｄ）参照。）、基準値に到達すると数値タイトル部分Ｇ３１が赤になり（図８（Ｅ）、図８（Ｆ）参照。）、また、基準値を超えた際には、数値入力部分Ｇ３２の文字色を赤になるなどして、介護者に視覚的に警告を行う。
【００７１】
入力基準値は、医師からの指導、あるいは、ケアマネージャーからのアドバイスなどから項目ごとに任意に設定することが出来、実際に介護を行う家族やケアワーカーがその正確な値を意識しなくても、必要十分な水分を被介護者に与えることが可能となる。
【００７２】
なお、介護の現場では、１ｍｌ単位の正確さよりも迅速な入力が優先される場合があり、加算・減算の単位量は、その入力項目に要求される精度により任意に設定可能にすることが好ましい。
【００７３】
数値入力用ＧＵＩ部品Ｇ３を用いた数値入力手順を図９のフローチャートを用いて詳細に説明する。
【００７４】
入力制御部３０は、入力部２０から通知された入力が、数値入力用ＧＵＩ部品Ｇ３のタップ操作であるかを判定する（ステップＳ４１）。
【００７５】
数値入力用ＧＵＩ部品Ｇ３でのタップ操作が検出された場合（ステップＳ４１でＹＥＳ）、制御部６０に通知され、制御部６０は記憶部５０に格納されている数値入力部品情報から、増減単位を取得し、現在の値に加算する（ステップＳ４２）。
【００７６】
一方、入力部２０から通知された入力がタップ操作ではなかった場合（ステップＳ４１のＮＯ）、入力制御部３０はそれが数値入力用ＧＵＩ部品Ｇ３のフリック操作であるかどうかを判定する（ステップＳ４３）。フリック操作ではなかった場合（ステップＳ４３でＮＯ）は処理を終了する。
【００７７】
フリック操作であった場合（ステップＳ４３でＹＥＳ）、制御部６０に通知され、制御部６０は記憶部５０に格納されている数値入力部品情報から、増減単位を取得し、現在の値から減算する（ステップＳ４４）。
【００７８】
制御部６０は更新された入力値を表示制御部４０に通知し、入力値更新を指示する（ステップＳ４５）。表示制御部４０は、記憶部５０から基準値を取得し、新たな入力値の基準値に対する割合を算出し（ステップＳ４６）、更新された入力値割合で、割合バーを表示するように設定する（ステップＳ４７）。
【００７９】
さらに表示制御部４０は、警告表示パターンの設定を行う（ステップＳ４８）。この警告表示パターンの設定手法は前述した通りである。
【００８０】
すべての設定値を更新した後、表示制御部４０は表示部１０に対して、表示指示を行う（ステップＳ４９）。表示部１０が、数値入力用ＧＵＩ部品Ｇ３の表示状態を更新する（ステップＳ５０）。
【００８１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００８２】
１…情報処理装置
１０…表示部
２０…入力部
３０…入力制御部
４０…表示制御部
５０…記憶部
６０…制御部
Ｇ１…選択用ＧＵＩ部品
Ｇ１１…タイトル部分
Ｇ１２…項目部分
Ｇ２…数値入力用ＧＵＩ部品
Ｇ２１…数値タイトル部分
Ｇ２２…数値入力部分
Ｇ３…数値入力用ＧＵＩ部品
Ｇ３１…数値タイトル部分
Ｇ３２…数値入力部分
Ｇ３３…割合バー
ＴＰ…タッチパネル
【図１】
2017084384.tif 000003
【図２】
2017084384.tif 000004
【図３】
2017084384.tif 000005
【図４】
2017084384.tif 000006
【図５】
2017084384.tif 000007
【図６】
2017084384.tif 000008
【図７】
2017084384.tif 000009
【図８】
2017084384.tif 000010
【図９】
2017084384.tif 000011